(57)【要約】【課題】  大がかりな装置を必要とせずに、締結および締結解除のいずれも容易に行うことができる締結ボルトの提供。【解決手段】  外周側にオネジ４２が形成されるとともに円周方向に複数に分割されることにより縮径可能とされた筒状ネジ部１４と、頭部１２に設けられた操作部１３への操作に連動して筒状ネジ部１４を縮径させる縮径手段３９，４４と、操作部１３を操作前の初期状態に戻すように付勢する付勢手段１５と、付勢手段１５による操作部１３の初期状態への戻りに連動して筒状ネジ部１４を拡径させる拡径手段４５，５１とを備える。【選択図】        図２
2006046488.tif 000002
【特許請求の範囲】
【請求項１】
外周側にオネジが形成されるとともに円周方向において複数に分割されることにより縮径可能とされた筒状ネジ部と、
頭部に設けられた操作部への操作に連動して前記筒状ネジ部を縮径させる縮径手段と、
前記操作部を操作前の初期状態に戻すように付勢する付勢手段と、
該付勢手段による前記操作部の前記初期状態への戻りに連動して前記筒状ネジ部を拡径させる拡径手段とを備える締結ボルト。
【請求項２】
前記頭部にさらに径を大きくしたフランジ部を備えることを特徴とする請求項１記載の締結ボルト。
【請求項３】
前記頭部の外周面に粗面化処理を施してなることを特徴とする請求項１または２記載の締結ボルト。
【発明の詳細な説明】
【技術分野】
【０００１】
本発明は、着脱が容易な締結ボルトに関する。
【背景技術】
【０００２】
締結ボルトは、外周部に形成されたオネジを締結対象部品のメネジに螺合させるものであるが、締結および締結解除のいずれにおいてもオネジをメネジに対し多回転させる必要があり時間がかかってしまう。このため、締結ボルトを筒状として円周方向に複数に分割するとともに中央に常温域では剛性が高く高温域で収縮する心材を入れ、高温雰囲気に入れることで心材を収縮させ締結解除を容易としてリサイクル性を向上させたものがある（例えば特許文献１参照）。また、内部に油圧を導入することで軸方向に伸長し油圧導入を解除することで軸方向に縮長する締結ボルトもある（例えば特許文献２参照）。
【特許文献１】特開２００３−２３２３２３号公報
【特許文献２】特開平１１−１８２５２３号公報
【発明の開示】
【発明が解決しようとする課題】
【０００３】
上記した特許文献１に記載の技術では締結解除は容易になるものの締結は従来と同様であり、また締結解除も高温雰囲気が必要で大がかりな装置が必要になってしまうという問題がある。特許文献２に記載の技術でも油圧を導入する必要があり大がかりな装置が必要になってしまうという問題がある。
【０００４】
したがって、本発明は、大がかりな装置を必要とせずに、締結および締結解除のいずれも容易に行うことができる締結ボルトの提供を目的とする。
【課題を解決するための手段】
【０００５】
上記目的を達成するために、請求項１に係る発明は、外周側にオネジ（例えば実施形態におけるオネジ４２）が形成されるとともに円周方向において複数に分割されることにより縮径可能とされた筒状ネジ部（例えば実施形態における筒状ネジ部１４）と、頭部（例えば実施形態における頭部１２）に設けられた操作部（例えば実施形態におけるボタン１３）への操作に連動して前記筒状ネジ部を縮径させる縮径手段（例えば実施形態におけるガイド穴３９，外ガイド部４４）と、前記操作部を操作前の初期状態に戻すように付勢する付勢手段（例えば実施形態におけるスプリング１５）と、該付勢手段による前記操作部の前記初期状態への戻りに連動して前記筒状ネジ部を拡径させる拡径手段（例えば実施形態における内ガイド部４５，ガイド軸部５１）とを備えることを特徴としている。
【０００６】
請求項２に係る発明は、請求項１に係る発明において、前記頭部にさらに径を大きくしたフランジ部（例えば実施形態におけるフランジ部２７）を備えることを特徴としている。
【０００７】
請求項３に係る発明は、請求項１または２に係る発明において、前記頭部の外周面に粗面化処理を施してなることを特徴としている。
【発明の効果】
【０００８】
請求項１に係る発明によれば、頭部に設けられた操作部を操作すると、この操作に連動して縮径手段が筒状ネジ部を縮径させる。この状態で筒状ネジ部を締結対象部品のメネジに挿入することにより回転させずに挿入できる。そして、操作部の操作を解除すると、付勢手段が操作部を操作前の初期状態に戻すことになり、この戻りに連動して拡径手段が筒状ネジ部を拡径させる。これにより、筒状ネジ部のオネジが締結対象部品のメネジに螺合する。その後、若干回転させることで締結を行う。一方、この状態から頭部に設けられた操作部を操作すると、この操作に連動して縮径手段が筒状ネジ部を縮径させ、オネジとメネジとの螺合を解除する。この状態で筒状ネジ部を締結対象部品のメネジから抜き出すことにより回転させずに締結を解除することができる。したがって、大がかりな装置を必要とせずに、締結および締結解除のいずれも容易に行うことができる。
【０００９】
請求項２に係る発明によれば、頭部にさらに径を大きくしたフランジ部を備えるため、操作部の操作を容易に行うことができる。
【００１０】
請求項３に係る発明によれば、頭部の外周面に粗面化処理を施してなるため、頭部への回転入力を容易に行うことができる。
【発明を実施するための最良の形態】
【００１１】
本発明の一実施形態の締結ボルトを図面を参照して以下に説明する。
本実施形態の締結ボルト１１は、図１に示すように、略円筒状の頭部１２と、頭部１２内に一部収納されるとともに頭部１２の軸線方向における一側から突出するボタン（操作部）１３と、頭部１２内に一部収納されるとともに頭部１２の軸線方向における他側から突出する筒状ネジ部１４と、頭部１２内に全体が収納されるとともに筒状ネジ部１４とボタン１３との間にこれらを相反方向に付勢するように介装される図２に示すスプリング（付勢手段）１５と、筒状ネジ部１４内に挿入されるとともにボタン１３に連結されるシャフト１６とで構成されている。
【００１２】
頭部１２は、図２に示すように、外径が同じで軸線方向における一端側が小径穴部２１とされ軸線方向における中間部から他端側が小径穴部２１よりも大径の大径穴部２２とされてこれらの間に軸直交方向に沿う段部２３が形成された段付円筒状の筒状体２４と、筒状体２４の大径穴部２２側の外端部に取り付けられる筒状体２４よりも大径の蓋体２５とを有している。
【００１３】
蓋体２５はその外周側が頭部１２において筒状体２４よりも外径側に突出する環状のフランジ部２７を形成しており、中央には軸線方向における筒状体２４側が大径の大径穴部２８とされ筒状体２４とは反対側がこれより小径の小径穴部２９とされこれらの間に軸直交方向に沿う段部３０が形成された段付きの貫通穴３１が形成されている。これにより、頭部１２はさらに径を大きくしたフランジ部２７を備えることになる。ここで、頭部１２のフランジ部２７の径方向の外周面にはローレット加工等の粗面化処理が施されている。
【００１４】
ボタン１３は、頭部１２の蓋体２５の小径穴部２９に摺動可能に嵌合されるとともに蓋体２５から突出する円柱状の突出部３４と、突出部３４の一端側に設けられて蓋体２５の大径穴部２８に入出可能に嵌合される突出部３４よりも大径の環状の係止フランジ部３５と、係止フランジ部３５の突出部３４とは反対側に形成された略円柱状の軸部３６とを有している。
【００１５】
軸部３６の突出部３４とは反対側には、軸線方向に沿って穴部３７が形成されている。この穴部３７は底側の小径の嵌合穴３８と、嵌合穴３８よりも開口側つまり突出部３４とは反対側にあって開口側ほど大径となるテーパ状のガイド穴（縮径手段）３９とを有している。
【００１６】
筒状ネジ部１４は、軸線方向における中間から一側にかけての外周側にオネジ４２が形成されるとともに軸線方向における他側に半径方向外方に突出する係止フランジ部４３が形成されている。また、筒状ネジ部１４は、係止フランジ部４３のオネジ４２とは反対側の外周側に係止フランジ部４３から離れるほど小径となるテーパ状の外ガイド部（縮径手段）４４が形成されており、外ガイド部４４とは反対端側の内周側に端側ほど大径となるテーパ状の内ガイド部（拡径手段）４５が形成されている。ここで、筒状ネジ部１４は、円周方向において複数具体的には二つの分割体４６に分割されており、これら分割体４６同士が近接することで縮径可能とされている。
【００１７】
シャフト１６は、一端側が小径の嵌合軸部４９とされ、中間部が嵌合軸部４９より大径の直線状の軸部５０とされ、他端側が端部ほど大径となるテーパ状のガイド軸部（拡径手段）５１とされており、筒状ネジ部１４の内側に挿入された状態で嵌合軸部４９においてボタン１３の嵌合穴３８に嵌合固定される。
【００１８】
スプリング１５は、ボタン１３の軸部３６を内側に挿入させた状態でボタン１３の係止フランジ部３５と筒状ネジ部１４の係止フランジ部４３との間に介装され、ボタン１３と筒状ネジ部１４とを軸線方向において離間させる方向に付勢する。
【００１９】
そして、これらを組み立てる場合、例えば、まず、シャフト１６の嵌合軸部４９をボタン１３の嵌合穴３８に圧入して嵌合させ、スプリング１５をシャフト１６およびボタン１３の軸部３６を内側に挿入させながらボタン１３の係止フランジ部３５に係止させる。そして、筒状ネジ部１４の分割体４６をそれぞれ外ガイド部４４をスプリング１５の内側に挿入して係止フランジ部４３をスプリング１５に係止させ、この状態で頭部１２の筒状体２４に筒状ネジ部１４を挿入させる。次に、ボタン１３の突出部３４を挿入させるように頭部１２の蓋体２５を被せ蓋体２５を筒状体２４に溶接等で固定する。
【００２０】
この状態で、図２に示すように、ボタン１３はスプリング１５の付勢力で筒状ネジ部１４と離間しており、係止フランジ部３５が蓋体２５の大径穴部２８に入り込んで段部３０に当接し、突出部３４が最も蓋体２５から突出している。他方、筒状ネジ部１４も係止フランジ部４３が筒状体２４の段部２３に当接している。このとき、筒状ネジ部１４の外ガイド部４４はボタン１３のガイド穴３９から離間しており、シャフト１６のガイド軸部５１が筒状ネジ部１４の内ガイド部４５に乗り上げて筒状ネジ部１４を拡径させている。
【００２１】
そして、このような初期状態にある締結ボルト１１を使用者が、頭部１２の筒状体２４を人差し指と中指とで挟みしかも頭部１２のフランジ部２７の筒状体２４側をこれら人差し指と中指とで係止するようにして持ち、親指で頭部１２に設けられたボタン１３の突出部３４を頭部１２に押し込むように押すと、図３に示すように、ボタン１３がスプリング１５の付勢力に抗して軸線方向に筒状ネジ部１４に近接するように移動する。すると、ボタン１３に固定されたシャフト１６が筒状ネジ部１４から突出するように移動し、ガイド軸部５１が筒状ネジ部１４の内ガイド部４５から離れることになり、筒状ネジ部１４を縮径可能とする。これに合わせて、ボタン１３のガイド穴３９が筒状ネジ部１４の外ガイド部４４に乗り上げて、筒状ネジ部１４を縮径方向に移動させる。このようにボタン１３への操作に連動してボタン１３のガイド穴３９および筒状ネジ部１４の外ガイド部４４が筒状ネジ部１４を縮径させる。
【００２２】
このように縮径された状態の筒状ネジ部１４を締結対象部品５５のメネジ５６に挿入し頭部１２を締結対象部品５５に当接させることにより、締結ボルト１１を回転させずにその筒状ネジ部１４を締結対象部品５５のメネジ５６に挿入できることになる。そして、ボタン１３の押圧操作を解除すると、スプリング１５がボタン１３を軸線方向に移動させて操作前の初期状態に戻すことになる。このとき、ボタン１３の移動でガイド穴３９が筒状ネジ部１４の外ガイド部４４から離れることになり、筒状ネジ部１４を拡径可能とする。これに合わせて、ボタン１３に固定されたシャフト１６がガイド軸部５１を筒状ネジ部１４内に入り込ませるように移動し、ガイド軸部５１が筒状ネジ部１４の内ガイド部４５に乗り上げて、筒状ネジ部１４を拡径方向に移動させる。このようにボタン１３の操作前の初期状態への戻りに連動してシャフト１６のガイド軸部５１および筒状ネジ部１４の内ガイド部４５が筒状ネジ部１４を拡径させる。これにより、図２に示すように、筒状ネジ部１４のオネジ４２が締結対象部品５５のメネジ５６に螺合する。その後、締結ボルト１１を例えば頭部１２の粗面化処理されたフランジ部２７への入力で１，２回程度の若干量回転させることにより締結を行うことができる。
【００２３】
一方、この状態から頭部１２に設けられたボタン１３を上記と同様に押圧操作すると、上記と同様に、ガイド軸部５１が筒状ネジ部１４の内ガイド部４５から離れ、これに合わせてボタン１３のガイド穴３９が筒状ネジ部１４の外ガイド部４４に乗り上げることで筒状ネジ部１４を縮径方向に移動させ、オネジ４２とメネジ５６との螺合を解除する。この状態で筒状ネジ部１４を締結対象部品５５のメネジ５６から抜き出すことにより締結ボルト１１を回転させずに締結を解除することができる。
【００２４】
以上により本実施形態の締結ボルト１１は、大がかりな装置を必要とせずに、締結および締結解除のいずれも容易に行うことができる。よって、例えばワークを載置させる加工治具や組立治具等に用いれば対象ワークの変更に伴う段取り替えの容易化を図ることができ、生産効率を向上させることができる。
【００２５】
また、頭部１２にさらに径を大きくしたフランジ部２７を備えるため、フランジ部２７を上記のように人差し指と中指で係止することでボタン１３の親指での操作を容易に行うことができる。
【００２６】
加えて、頭部１２のフランジ部２７の外周面に粗面化処理を施しているため、頭部１２への回転入力を容易に行うことができる。
【図面の簡単な説明】
【００２７】
【図１】本発明の一実施形態の締結ボルトを示す斜視図である。
【図２】本発明の一実施形態の締結ボルトの初期状態を示すものであって、（ａ）は断面図、（ｂ）は下面図である。
【図３】本発明の一実施形態の締結ボルトのボタン操作状態を示すものであって、（ａ）は断面図、（ｂ）は下面図である。
【符号の説明】
【００２８】
１１  締結ボルト
１２  頭部
１３  ボタン（操作部）
１４  筒状ネジ部
１５  スプリング（付勢手段）
２７  フランジ部
３９  ガイド穴（縮径手段）
４２  オネジ
４４  外ガイド部（縮径手段）
４５  内ガイド部（拡径手段）
５１  ガイド軸部（拡径手段）
【図１】
2006046488.tif 000003
【図２】
2006046488.tif 000004
【図３】
2006046488.tif 000005